(57)【特許請求の範囲】
【請求項１】
蓋本体と、前記蓋本体に形成された袋状凹陥部と、前記凹陥部内に差し込み可能且つ前記凹陥部と係合可能な閉塞キャップと、前記閉塞キャップ内に差し込み可能且つ前記凹陥部と係合可能な表示キャップとを備え、前記閉塞キャップは、前記表示キャップの差し込み口に仮蓋を有し、前記仮蓋は、前記表示キャップの差し込みにより前記閉塞キャップから離脱することを特徴とする表示機能付き蓋。
【請求項２】
前記表示キャップは、前記仮蓋を前記閉塞キャップから離脱させる刃部を有していることを特徴とする、請求項１記載の表示機能付き蓋。
【発明の詳細な説明】
【０００１】
【発明の属する技術分野】
この発明は、表示機能付き蓋、特に、例えば、マンホール用鉄蓋において、鉄蓋の設置履歴、維持管理のための文字、記号等の表示機能を有する蓋に関するものである。
【０００２】
【従来の技術】
マンホール用鉄蓋の設置履歴、維持管理のための文字、記号等の表示機能を有する鉄蓋の一例が、特許第２８７３２１１号公報に開示されている。以下、この表示機能付き蓋を従来技術といい、図面を参照しながら説明する。
【０００３】
図１５は、従来技術を示す部分斜視図、図１６は、図１５のＤ−Ｄ線断面図である。
【０００４】
図１５および図１６において、２１は、マンホール用鉄蓋本体、２２は、鉄蓋本体２１の縁部に形成された凹陥部、２３は、凹陥部２２の底部に形成された貫通孔、２４は、保持キャップ、２５は、表示キャップである。
【０００５】
保持キャップ２４は、矩形状の受座２６と複数片からなる脚部２７とからなっている。受座２６の中央部には貫通孔２８が形成され、脚部２７は、受座２６の下面に貫通孔２８を中心として弾性変形可能に突設されている。脚部２７の下部外面には、凹陥部２２の貫通孔２３の下部周縁に係合する外部係合部２９が形成され、脚部２７の内面には、表示キャップ２５の後述する膨出部が係合する内部係合部２１０が形成されている。
【０００６】
表示キャップ２５は、文字、記号等の表示２１１が上面に一体的に形成された表示部２１２と脚部２１３とからなり、脚部２１３の下部には、膨出部２１４が形成されている。この膨出部２１４の径は、保持キャップ２４の貫通孔２８の径より若干大きく形成されている。
【０００７】
このように構成されている、従来技術によれば、以下のようにして、鉄蓋本体２１に保持キャップ２４を介して表示キャップ２５が取り付けられる。
【０００８】
先ず、凹陥部２２の貫通孔２３に保持キャップ２４の脚部２７を、その外部係合部２９が貫通孔２３から突出するまで差し込む。このとき、脚部２７の各片は、弾性力によって内側に変形するので、脚部２７は、容易に貫通孔２３内に差し込まれる。
【０００９】
次に、表示キャップ２５の脚部２１３を保持キャップ２４の貫通孔２８内に、表示キャップ２５の膨出部２１４が保持キャップ２４の内部係合部２１０に係合するまで差し込む。脚部２１３の膨出部２１４の径は、保持キャップ２４の貫通孔２８の径より若干大きく形成されているので、表示キャップ２５の差し込みにより保持キャップ２４の脚部２７の各片は広がる。この結果、保持キャップ２４の脚部２７の外部係合部２９が凹陥部２２の貫通孔２３の下部周縁に係合する。これによって、表示キャップ２５は、保持キャップ２４を介して鉄蓋本体２１にこれから抜け出ることなく固定される。
【００１０】
上述した従来技術によれば、保持キャップ２４および表示キャップ２５の鉄蓋本体２１への取り付け操作を何れも鉄蓋本体２１の上部から行うことができるので、これらの取り付けに際して、重量のある鉄蓋本体２１をいちいち持ち上げたり、反転させる必要がない。従って、保持キャップ２４および表示キャップ２５の鉄蓋本体２１への取り付け操作が容易となる。
【００１１】
【発明が解決しようとする課題】
上述した従来技術は、以上のような利点を有している反面、下記のような問題点を有している。
【００１２】
（１）鉄蓋本体２１への設置履歴、維持管理のための文字、記号等の表示は、鉄蓋本体２１の設置後、しばらく日にちが経過した後、行われるのが通常である。この間、凹陥部２２の貫通孔２３を塞がないと、雨水が貫通孔２３からマンホール等内に入り込む恐れがある。従って、工場出荷時に何らかの方法、例えば、保持キャップ２４および表示キャップ２５とは別の専用閉塞キャップで貫通孔２３を塞ぐ必要があった。しかし、鉄蓋設置後の鉄蓋本体２１に表示キャップ２５を取り付ける際に、この閉塞キャップを特殊工具を用いて取り外す必要性がある。しかも、表示を行った後、閉塞キャップは不要となる。
【００１３】
（２）工場出荷時に保持キャップ２４および無印の表示キャップ２５を鉄蓋本体２１に取り付けて、凹陥部２２の貫通孔２３を塞ぐこともできるが、この場合には、上記専用閉塞キャップは不要となるものの、鉄蓋本体２１の設置後、表示を行う際に無印の表示キャップ２５を保持キャップ２４から取り外さねばならない。これには、鉄蓋本体２１を開き、無印の表示キャップ２５の脚部２１３を壊す必要がある。
【００１４】
（３）凹陥部２２には貫通孔２３が形成されているので、保持キャップ２４および表示キャップ２５を差し込んでも、隙間から砂等はともかく雨水がマンホール内に浸入することは避けられない。
【００１５】
従って、この発明の目的は、蓋が設置されるマンホール等内への雨水の浸入を確実に防止でき、しかも、閉塞キャップや無印の表示キャップを一切必要としない表示機能付き蓋を提供することにある。
【００１６】
請求項１記載の発明は、蓋本体と、前記蓋本体に形成された袋状凹陥部と、前記凹陥部内に差し込み可能且つ前記凹陥部と係合可能な閉塞キャップと、前記閉塞キャップ内に差し込み可能且つ前記凹陥部と係合可能な表示キャップとを備え、前記閉塞キャップは、前記表示キャップの差し込み口に仮蓋を有し、前記仮蓋は、前記表示キャップの差し込みにより前記閉塞キャップから離脱することに特徴を有するものである。
【００１７】
請求項２記載の発明は、請求項１記載の発明において、前記表示キャップは、前記仮蓋を前記閉塞キャップから離脱させる刃部を有していることに特徴を有するものである。
【００１９】
【発明の実施の形態】
この発明の表示機能付き蓋をマンホールの鉄蓋に適用した場合の一実施態様を、図面を参照しながら説明する。
【００２０】
図１は、この発明の表示機能付き蓋における閉塞キャップを示す断面図、図２は、この発明の表示機能付き蓋における閉塞キャップを示す平面図、図３は、この発明の表示機能付き蓋における閉塞キャップを示す側面図、図４は、この発明の表示機能付き蓋における閉塞キャップを示す底面図、図５は、図１のＡ−Ａ線断面図である。
【００２１】
図６は、この発明の表示機能付き蓋における表示キャップを示す正面図、図７は、この発明の表示機能付き蓋における表示キャップを示す平面図、図８は、この発明の表示機能付き蓋における表示キャップを示す側面図、図９は、この発明の表示機能付き蓋における表示キャップを示す底面図、図１０は、図６のＢ−Ｂ線断面図である。
【００２２】
図１１は、鉄蓋の凹陥部内に差し込まれた閉塞キャップを示す断面図、図１２は、鉄蓋の凹陥部内に取り付けられた閉塞キャップおよび表示キャップを示す正面図、図１３は、図１２のＣ−Ｃ線断面図、図１４は、複数個の表示キャップが取り付けられた鉄蓋を示す部分平面図である。
【００２３】
図１から図１３において、１は、鉄蓋本体２の周縁部に形成された袋状凹陥部、３は、凹陥部１内に差し込まれる合成樹脂等からなる閉塞キャップ、４は、閉塞キャップ３内に差し込まれる合成樹脂等からなる表示キャップである。
【００２４】
図１１から図１３に示すように、凹陥部１の上部内面には、一対の第１突起５および一対の第２突起６が形成されている。第１突起５と第２突起６との形成位置関係は、互いに直角である。第１突起５は、閉塞キャップ３の後述する閉塞キャップ側係合片と係合し、第２突起６は、表示キャップ４の後述する表示キャップ側係合片と係合する。
【００２５】
図１から図５に示すように、閉塞キャップ３は、長方形状の箱状基部７と、基部７の短辺側から上方に向けて外側に傾斜して形成された一対の閉塞キャップ側係合片８と、閉塞キャップ側係合片８の上端間に薄肉部９を介して連結された仮蓋１０とから構成されている。
【００２６】
図１１に示すように、閉塞キャップ側係合片８の上端外面間の間隔（Ｌ１）は、第１突起５間の間隔（Ｌ２）より若干長くなっている。仮蓋１０は、その中央部の肉厚が薄く形成され、弾性変形しやすくなっているので、仮蓋１０によって閉塞キャップ側係合片８が互いに連結されていても、一対の閉塞キャップ側係合片８は、容易に内側に折れ曲がると共に、弾性力により容易に元の状態に復帰する。
【００２７】
図６から図１０に示すように、表示キャップ４は、文字、記号等の表示１１が上面に一体的に形成された長方形状の板状表示部１２と、表示部１２の長辺側に下方に向けて形成された一対の側板１３と、一対の側板１３の各々に形成された表示キャップ側係合片１４と、表示部１２の短辺側に下方に向けて形成された一対の刃部１５とから構成されている。刃部１５は、先端部が鋭角に形成され、仮蓋１０の薄肉部９の幅とほぼ同じ刃幅を有している。表示キャップ側係合片１４の外面は、側板１３より外方に突出していて、上方に向けて外側に傾斜して形成されている。
【００２８】
図１３に示すように、表示キャップ側係合片１４の外面間の間隔（Ｌ３）は、凹陥部１の第２突起６間の間隔（Ｌ４）より若干広い。図６に示すように、一対の刃部１５の先端間の間隔（Ｌ５）は、閉塞キャップ３の薄肉部９間の間隔（Ｌ６）（図１参照）とほぼ等しい。表示部１２の上面高さは、表示１１が鉄蓋本体２の上面より低くなるように設計されていて、これにより、車の走行等による表示１１の摩耗、損傷が軽減される。
【００２９】
このように構成されている、この発明の表示機能付き蓋によれば、以下のようにして、表示キャップ４が鉄蓋本体２に取り付けられる。
【００３０】
先ず、図１１に示すように、出荷時に工場側で鉄蓋本体２の凹陥部１内に閉塞キャップ３を差し込む。この際、閉塞キャップ３は、その閉塞キャップ側係合片８が凹陥部１の第１突起５との接触により内側に弾性変形しながら凹陥部１内に差し込まれる。仮蓋１０は、閉塞キャップ側係合片８の変形に伴って湾曲変形する。閉塞キャップ３が凹陥部１内に完全に差し込まれると、閉塞キャップ側係合片８は、その弾性力により元の状態に復帰して広がる。これにより、閉塞キャップ側係合片８は、凹陥部１の第１突起５と係合するので、閉塞キャップ３は、凹陥部１から抜け出ることなく固定される。
【００３１】
このようにして、凹陥部１内に閉塞キャップ３が差し込まれたら、凹陥部１は、仮蓋１０を有する閉塞キャップ３によって閉塞されるので、凹陥部１内に砂等は入り込む恐れはない。
【００３２】
次いで、閉塞キャップ３が差し込まれた鉄蓋本体２を道路に設置する。設置後、雨等が降っても、凹陥部１は、袋状に形成されているので、雨水がマンホール内に浸入することはない。
【００３３】
次いで、図１２に示すように、表示材１１が取り付けられた表示キャップ４を閉塞キャップ３に差し込むのであるが、この際、表示キャップ４の刃部１５を閉塞キャップ３の仮蓋１０の薄肉部９に当てがって表示キャップ４を下方に押し込む。これによって、薄肉部９は破断して、閉塞キャップ３の仮蓋１０が閉塞キャップ３から離脱する。離脱した仮蓋１０は、閉塞キャップ３の基部７上に落ちる。このように、閉塞キャップ３の仮蓋１０は、表示キャップ４の差し込み時に閉塞キャップ内に留まるので、ごみとならない。
【００３４】
表示キャップ４は、その表示キャップ側係合部１４が凹陥部１の第２突起６との接触により内側に弾性変形しながら閉塞キャップ３に差し込まれる。表示キャップ４が閉塞キャップ３内に完全に差し込まれると、表示キャップ側係合部１４は、その弾性力により元の状態に復帰して広がる。これにより、表示キャップ側係合部１４は、凹陥部１の第２突起６と係合するので、表示キャップ４は、凹陥部１から抜け出ることなく固定される。
【００３５】
このようにして、表示キャップ４が鉄蓋本体２に取り付けられる。
【００３６】
図１４に示すように、複数の表示キャップを並べて鉄蓋本体に取り付ける場合には、各表示キャップ毎に凹陥部を形成する。
【００３７】
以上は、マンホール用鉄蓋に、この発明を適用した場合であるが、これ以外の地下構造物用蓋に適用することも勿論可能である。
【００３８】
【発明の効果】
以上説明したように、この発明によれば、蓋本体に形成された袋状凹陥部内に差し込み可能且つ前記凹陥部と係合可能な閉塞キャップと、前記閉塞キャップ内に差し込み可能且つ前記凹陥部と係合可能な表示キャップとを備えることによって、下記のような効果がもたらされる。
【００３９】
（１）閉塞キャップが仮蓋を有しているので、工場出荷時に閉塞キャップを鉄蓋本体に取り付けておけば、鉄蓋設置後であっても、鉄蓋本体の凹陥部内に砂等が入り込む恐れがない。
【００４０】
（２）閉塞キャップが仮蓋を有しているので、従来技術のように、閉塞キャップや無印の表示キャップが不要となる。
【００４１】
（３）鉄蓋本体の凹陥部は、袋状に形成されているので、雨水、砂等がマンホール内に浸入することはない。
【００４２】
（４）閉塞キャップの仮蓋は、表示キャップの差し込み時に閉塞キャップ内に留まるので、ごみとならない。
【００４３】
（５）閉塞キャップおよび表示キャップの取り付け操作は、全て鉄蓋本体の上方から行えるので、これらキャップの取り付けに際して、重量のある鉄蓋本体を開いたり、反転させる必要がない。
【図面の簡単な説明】
【図１】この発明の表示機能付き蓋における閉塞キャップを示す断面図である。
【図２】この発明の表示機能付き蓋における閉塞キャップを示す平面図である。
【図３】この発明の表示機能付き蓋における閉塞キャップを示す側面図である。
【図４】この発明の表示機能付き蓋における閉塞キャップを示す底面図である。
【図５】図１のＡ−Ａ線断面図である。
【図６】この発明の表示機能付き蓋における表示キャップを示す正面図である。
【図７】この発明の表示機能付き蓋における表示キャップを示す平面図である。
【図８】この発明の表示機能付き蓋における表示キャップを示す側面図である。
【図９】この発明の表示機能付き蓋における表示キャップを示す底面図である。
【図１０】図６のＢ−Ｂ線断面図である。
【図１１】鉄蓋の凹陥部内に差し込まれた閉塞キャップを示す断面図である。
【図１２】鉄蓋の凹陥部内に取り付けられた閉塞キャップおよび表示キャップを示す正面図である。
【図１３】図１２のＣ−Ｃ線断面図である。
【図１４】複数個の表示キャップが取り付けられた鉄蓋を示す部分平面図である。
【図１５】従来技術を示す部分斜視図である。
【図１６】図１５のＤ−Ｄ線断面図である。
【符号の説明】
１：凹陥部
２：鉄蓋本体
３：閉塞キャップ
４：表示キャップ
５：第１突起
６：第２突起
７：基部
８：閉塞キャップ側係合片
９：薄肉部
１０：仮蓋
１１：表示
１２：表示部
１３：側板
１４：表示キャップ側係合片
１５：刃部
１６：表示材
【図１】
0003638903.tif 000002
【図２】
0003638903.tif 000003
【図３】
0003638903.tif 000004
【図４】
0003638903.tif 000005
【図５】
0003638903.tif 000006
【図６】
0003638903.tif 000007
【図７】
0003638903.tif 000008
【図８】
0003638903.tif 000009
【図９】
0003638903.tif 000010
【図１０】
0003638903.tif 000011
【図１１】
0003638903.tif 000012
【図１２】
0003638903.tif 000013
【図１３】
0003638903.tif 000014
【図１４】
0003638903.tif 000015
【図１５】
0003638903.tif 000016
【図１６】
0003638903.tif 000017